(57)【要約】      （修正有）【課題】散熱効果に優れた小型エンジン用クラッチ装置を提供する。【解決手段】筒状のハウジング１１と、その一端がハウジング内に突入していて他端がエンジンの稼動により回転されることができるように設けられる入力軸１３と、該入力軸の該一端近くの周りに該入力軸の回転と共に回転することができるように設けられており、且つ、回転すると、回転による遠心力によりそれ自体が拡張し、そのクラッチライニングを輻射方向に移動させることができるように構成されているクラッチ手段１４と、ハウジング内に突入している出力軸１５と、クラッチライニングが拡張方向に移動するとそれと接触して回転される受動ハブとを備えている小型エンジン用クラッチ装置において、前記ハウジングにおける前記他面と前記周面との境界線近くに空気の出口が開けてあり、前記ハウジングにおける前記他面上の前記出口より前記軸心線の方へ寄った所に空気の入り口が開けてあることを特徴とする小型エンジン用クラッチ装置を提供する。【選択図】図５
0003101343.tif 000002
【実用新案登録請求の範囲】
【請求項１】
左右両面と該左右両面の周縁に連結した周面を有する円筒状のハウジングと、 
その一端が該ハウジング外から該円筒状の軸心線方向に沿うように該左右両面の一面のほぼ中心を通って該ハウジング内に突入し、他端がエンジンの稼動により回転されることができるように設けられる入力軸と、
該入力軸の該一端近くの周りに該入力軸の回転と共に回転することができるように設けられており、且つ、回転すると、回転による遠心力によりそれ自体が拡張し、そのクラッチライニングを輻射方向に移動させることができるように構成されているクラッチ手段と、
その一端が該ハウジング外から該円筒状の軸心線方向に沿うように該左右両面の他面のほぼ中心を通って該ハウジング内に突入している出力軸と、
該出力軸の該一端近くから前記クラッチ手段の前記クラッチライニングの周りにまで延伸し、前記クラッチライニングが拡張方向に移動するとそれと接触して回転される受動ハブとを備えている小型エンジン用クラッチ装置において、
前記ハウジングにおける前記他面と前記周面との境界線近くに空気の出口が形成され、
前記ハウジングにおける前記他面上の前記出口より前記軸心線の方へ寄った所に空気の入口が形成されたことを特徴とする小型エンジン用クラッチ装置。
【請求項２】
前記受動ハブの前記空気の入口とほぼ対応する所に、該空気の入口を経由して入った空気を前記クラッチライニングの当たりへ案内するガイドベーン付きの開口が設けてあることを特徴とする請求項１記載の小型エンジン用クラッチ装置。         
【考案の詳細な説明】
【技術分野】
【０００１】
本考案は、小型エンジンに用いられるクラッチ装置に関し、特に、散熱効果に優れた小型エンジン用クラッチ装置に関する。
【背景技術】
【０００２】
従来から、草刈機やリモコンカー、その他の小工率(小電力・動力・仕事率)の出力が必要な動力機械の小型エンジンに用いられ、エンジンが回転していてもエンジンを止めることなく、動力を伝えたり、切ったりするクラッチ装置としては、図１に示すようなものが知られている。図１に示す小型エンジン用クラッチ装置１０は、主としてハウジング１１と、入力軸１３と、クラッチ手段１４と、出力軸１５と、受動ハブ１６とを備えている。
【０００３】
より詳しく説明すると、前記ハウジング１１は左右両面１１１，１１２と該左右両面１１１，１１２の周縁と連結している周面１１３を有する円筒状のものである。前記入力軸１３は、その一端が該ハウジング（１１）外から該円筒状の軸心線方向に沿うように該右面１１２のほぼ中心箇所を通って該ハウジング（１１）内に突入していて他端がエンジンの稼動により回転されることができるように設けられる。前記クラッチ手段１４は、該入力軸１３の該一端近くの周りに該入力軸１３の回転と共に回転することができるように設けられており、且つ、回転すると、回転による遠心力によりそれ自体が拡張し、そのクラッチライニング１４２を輻射方向に外へ（即ち張出し方向）移動させることができるように構成されている。前記出力軸１５は、その一端が該ハウジング（１１）外から該円筒状の軸心線方向に沿うように該左面１１１のほぼ中心箇所を通って該ハウジング（１１）内に突入している。
【０００４】
前記受動ハブ１６は、該出力軸１５の該一端近くから前記クラッチ手段１４の前記クラッチライニング１４２の周りにまで延伸していて前記クラッチラ１４が拡張してそのクラッチライニング１４２を輻射方向に外へ移動させるとそれと接触して回転される。
【０００５】
しかしながら、このようなクラッチ装置１０は、その回転接触にかかる要部(要素・部品)がすべて前記ハウジング１１内に密封されており、小型エンジン向けのものであるため冷却システムも設置されていないので、長時間使用されると、前記ハウジング（１１）内に発熱がどんどん溜り、温度が高まり、前記クラッチライニング１４２乃至他の構造を焼損するおそれがある。特に、例えば、草刈り時に、前記出力軸１５に負荷が間欠にかかって回転速度が遅くなったり早くなったりし、過負荷のため一時止まってから再び回転することもあり、この場合、前記クラッチライニング１４２がいつも定速で回転しているので、前記出力軸１５に伴って遅くなったり止まったりしている前記受動ハブ１６と摩擦して高熱を生じて温度を一層上昇させ、前記クラッチライニング１４２などを損壊し、クラッチ装置の使用寿命を短縮させるなどいろいろな問題がある。
【考案の開示】
【考案が解決しようとする課題】
【０００６】
上記に鑑みて、本考案は、散熱効果に優れた小型エンジン用クラッチ装置を提供することを目的とする。
【課題を解決するための手段】
【０００７】
前記目的を達成するために、本考案は、左右両面と該左右両面の周縁と連結している周面を有する円筒状のハウジングと、その一端が該ハウジング外から該円筒状の軸心線方向に沿うように該左右両面の一面のほぼ中心箇所を通って該ハウジング内に突入していて他端がエンジンの稼動により回転されることができるように設けられる入力軸と、該入力軸の該一端近くの周りに該入力軸の回転と共に回転することができるように設けられており、且つ、回転すると、回転による遠心力によりそれ自体が拡張し、そのクラッチライニングを輻射方向に外へ移動させることができるように構成されているクラッチ手段と、その一端が該ハウジング外から該円筒状の軸心線方向に沿うように該左右両面の他面のほぼ中心箇所を通って該ハウジング内に突入している出力軸と、該出力軸の該一端近くから前記クラッチ手段の前記クラッチライニングの周りにまで延伸していて前記クラッチライニングが拡大されるとそれと接触して回転される受動ハブとを備えている小型エンジン用クラッチ装置において、前記ハウジングにおける前記他面と前記周面との境界線近くに空気の出口が設けられ、前記ハウジングにおける前記他面上の前記出口より前記軸心線の方へ寄った所に空気の入口が設けられたことを特徴とする小型エンジン用クラッチ装置を提供する。
【考案の効果】
【０００８】
このように構成されている本考案の小型エンジン用クラッチ装置は、前記入力軸ないし前記出力軸が回転される時、空気が前記回転による遠心力により前記空気の入口を経由して前記ハウジング内の中心部あたりに吸入され、そして前記クラッチ手段，受動ハブ乃至出入力軸を冷却した後、前記空気の出口を経由してハウジング外へ排出されることができるので、散熱効果が良い。
【考案を実施するための形態】
【０００９】
以下、図面を参照しながら、本考案の小型エンジン用クラッチ装置の好ましい実施形態を説明する。図２及び図３に示すように、本実施形態のクラッチ装置３０は、小型エンジン２０のクランクケース２１に設置されていて該エンジンが回転していてもエンジンを止めることなく、動力を伝えたり、切ったりすることができるものである。そして、図４及び図５と合わせてみると、前記クラッチ装置３０は主としてハウジング３１と、入力軸３２と、クラッチ手段３３と、出力軸３５と、受動ハブ３６とを備えている。
【００１０】
より詳しく説明すると、前記ハウジング３１は、図５を基準とすれば、左右両面３１１，３１２と該左右両面３１１，３１２の周縁と連結している周面３１３を有する筒状のものである。前記ハウジング３１における前記左面３１１と前記周面３１３との境界線近くに４つの空気の出口３１４が設けてある。そして、前記ハウジング３１における前記左面３１１上の前記出口３１４より前記軸心線の方へ寄った所（この実施形態においては、前記左面３１１に形成されて前記出力軸３５の軸受けを収納している軸受け部の周り）に４つの空気の入口３１５が開けてある。本実施形態において、前記空気の出口３１４は前記左面３１１の周縁近くから前記周面３１３の周縁近くまでそれらの境界線を跨って伸びてなる長孔であり、前記空気の入口３１５は前記軸受け部の付け根に隣接して形成された円孔である。
【００１１】
前記入力軸３２は、その一端が該ハウジング３１外から該円筒状の軸心線方向に沿うように該右面３１２のほぼ中心箇所を通って該ハウジング３１内に突入していて他端がエンジンの稼動により回転されることができるように設けられている。
【００１２】
また、前記クラッチ手段３３は、該入力軸３２の該一端近くの周りに該入力軸３２の回転と共に回転することができるように設けられている台座３３１と、前記台座３３１の先頭に固定されており、且つ、互いに対称な２つの側辺部に分けられていながら、それらの間にあってそれらを引っ掛けているスプリング３３３により、該２つの側辺部に向心方向に付勢させられているクラッチウェイト３３２と、耐摩耗の材質からなり、それぞれ前記２つのクラッチウェイト３３２の外周面に張着されている２つのクラッチライニング３３４とからなっている。このように、前記台座３３１が前記入力軸３２の回転と共に回転すると、前記クラッチウェイト３３２が回転による遠心力により前記スプリング３３３の付勢力に抗して遠心方向へ拡張し、前記クラッチライニング３３４を輻射方向に外へ移動させることができる。前記クラッチ手段３３の構造は従来のと同じなので、その詳細な説明を省略する。
【００１３】
前記出力軸３５は、その一端が該ハウジング３１外から該円筒状の軸心線方向に沿うように該左面３１１のほぼ中心箇所を通って該ハウジング３１内に突入している。
【００１４】
前記受動ハブ３６は、該出力軸３５の該一端近くから前記クラッチ手段３３の前記クラッチライニング３３４の周りにまで延伸していて前記クラッチウェイト３３２が拡張すると前記クラッチライニング３３４と接触して回転される。前記受動ハブ３６上の前記４つの空気の入口３１５とほぼ対応する所に、それぞれ４つのガイドベーン３６１付きの開口３６２が設けてある。それにより、前記入力軸３２，出力軸３５，受動ハブ３６及びクラッチ手段３３の回転による遠心力により該空気の入り口３１５を経由して入った空気が前記クラッチライニング３３４の当たりへ案内されることができる。
【００１５】
従って、前記入力軸３２が前記小型エンジン２０の稼動により回転されると、前記台座３３１が前記入力軸の回転と共に回転され、前記クラッチウェイト３３２が回転による遠心力により前記スプリング３３３の付勢力に抗して遠心方向へ拡張し、前記クラッチライニング３３４を輻射方向に外へ移動させ、前記受動ハブ３６と摩擦して前記受動ハブ３６が回転され、前記出力軸３５が該受動ハブ３６の回転と共に回転される。この場合、図６に示すように、空気が前記回転による遠心力により前記空気の入口３１５を経由して前記ガイドベーン３６１によって案内され、前記開口３６２から前記前記ハウジング３１内の中心部あたりに吸入され、そして、前記クラッチ手段３３，受動ハブ３６乃至出入力軸３２，３６を冷却した後、前記空気の出口３１４を経由してハウジング３１外へ排出されることができる。このように、本実施形態のクラッチ装置は散熱効果が良好であるので、使用寿命を延長させることができる。
【産業上の利用可能性】
【００１６】
上記のように、本考案は放熱効果に優れたクラッチ装置を提供することができるので、草刈機やリモコンカー、その他の小工率の出力が必要な動力機械の小型エンジンに適用される。
【図面の簡単な説明】
【００１７】
【図１】従来の小型エンジン用クラッチ装置を示す断面図
【図２】本考案の実施形態のクラッチ装置と小型エンジンとの組合せを示す斜視図
【図３】本考案の実施形態のクラッチ装置と小型エンジンとの組合せを示す斜視図
【図４】本考案の実施形態のクラッチ装置を示す側面図
【図５】前記図４の５―５線断面図
【図６】本考案の実施形態のクラッチ装置の作動時の空気の流れを示す断面図
【符号の説明】
【００１８】
１０，３０      小型エンジン用クラッチ装置
１１，３１      ハウジング
１１１，３１１  左面
１１２，３１２  右面
１１３，３１３  周面
１３，３２      入力軸
１４，３３      クラッチ手段
１４２，３３４  クラッチライニング
１５，３５      出力軸
１６，３６      受動ハブ
２０                小型エンジン
２１                クランクケース
３１４          空気の出口
３１５          空気の入口
３３１          台座
３３２          クラッチウェート
３３３          スプリング
３３４          クラッチライニング
３６１          ガイドベーン
３６２          開口
【図１】
0003101343.tif 000003
【図２】
0003101343.tif 000004
【図３】
0003101343.tif 000005
【図４】
0003101343.tif 000006
【図５】
0003101343.tif 000007
【図６】
0003101343.tif 000008